(57)【特許請求の範囲】
【請求項１】
表示装置を備えると共に、表示装置のオン／オフ制御が可能な表示機能付電子機器において、
前記表示装置の電源がオフされているときに、前記電子機器に所定のトラブルが生じた場合は、このトラブルの発生後、ユーザによる主電源オン／オフスイッチの操作が行われる前に、該主電源オン／オフスイッチ以外のキー操作が行われたか否かを判定し、この判定により前記主電源オン／オフスイッチの操作が行われる前に、該主電源オン／オフスイッチ以外のキー操作が行われたと判定された場合に、前記表示装置の電源をオンにしてトラブル情報を表示することを特徴とするトラブル情報報知方法。
【請求項２】
前記所定のトラブルが発生した後に、前記主電源オン／オフスイッチ以外のキー操作が行われる前に、該主電源オン／オフスイッチの操作が行われた場合は、前記表示装置の電源をオンにしたトラブル情報の表示を行わないことを特徴とする請求項１記載のトラブル情報報知方法。
【請求項３】
前記トラブルがバッテリ容量不足によるときには前記表示装置の電源をオンにしないことを特徴とする請求項１または２記載のトラブル情報報知方法。
【請求項４】
表示装置を備える表示機能付電子機器において、
前記表示装置の電源がオフにされているときに、前記電子機器に所定のトラブルが生じたことを検出するトラブル検出手段と、
前記トラブル検出手段により前記所定のトラブルの発生を検出した後、ユーザによる主電源オン／オフスイッチの操作が行われる前に、該主電源オン／オフスイッチ以外のキー操作が行われたか否かを判定する判定手段と、
前記判定手段により、前記主電源オン／オフスイッチの操作が行われる前に該主電源オン／オフスイッチ以外のキー操作が行われたと判定された場合、前記表示装置をオンにするオン／オフ制御手段と、
このオン／オフ制御手段により電源がオンされた前記表示装置に前記トラブルに関わる情報を表示するトラブル情報報知手段と、
を備えたことを特徴とする表示機能付電子機器。
【請求項５】
前記トラブル情報報知手段によって前記表示装置にトラブル情報が表示されていることをユーザに報知する報知手段を備えたことを特徴とする請求項４記載の表示機能付電子機器。
【請求項６】
前記所定のトラブルが発生した後に、前記主電源オン／オフスイッチ以外のキー操作が行われる前に、該主電源オン／オフスイッチの操作が行われた場合は、前記オン／オフ制御手段による前記表示装置の電源のオン、および前記トラブル情報報知手段によるトラブル情報の表示を行わないように制御する制御手段を更に備えたことを特徴とする請求項４または５記載の表示機能付電子機器。
【請求項７】
前記表示装置はバックライトにより照明される液晶表示装置であり、前記オン／オフ制御手段は、その表示装置とバックライト、或いはバックライトのみをオン／オフ制御することを特徴とする請求項４，５または６記載の表示機能付電子機器。
【請求項８】
前記電子機器は光学ファインダを有する電子カメラ装置であることを特徴とする請求項４，５，６または７記載の電子機器。
【発明の詳細な説明】
【０００１】
【発明の属する技術分野】
本発明はデジタルカメラのように液晶表示部を備えた電子機器のトラブル報知技術に関する。
【０００２】
【従来の技術】
電子機器で、デジタルカメラ等の撮像装置のように画像を表示する表示装置を備えているものがある。また、このような表示装置は、通常、液晶画面を有しており、画像だけでなく、操作案内用やエラー表示用等のメッセージやアイコン等を表示することができる。
【０００３】
また、デジタルカメラのような携帯型の電子機器はバッテリを供給電源としているので装置の電池寿命を延ばすことについて様々な工夫がなされている。特に、デジタルカメラのように液晶画面を備えた電子機器では表示装置の電力消耗率が大きいので、必要な場合以外は液晶表示の電源をオフにしておくものがある（例えば、デジタルカメラでは液晶画面をファインダとして用いることができるが、電池寿命を延ばすために、撮影時には液晶画面をファインダとして用いることを避け液晶表示の電源をオフにして光学ファインダを用いるようにしたものがある）。
【０００４】
このように液晶画面の電源がオフされた状態にある電子機器では、装置エラーや操作上のエラー等のような電子機器の操作や動作に不適切な状態、すなわち、トラブルが生じたときに、その情報（トラブル情報）を表示画面に表示してユーザに報知することができないのでエラー表示用のＬＥＤランプを電子機器の表面の見やすい箇所に設けたり、光学ファインダの中に設けてトラブルが生じた場合に点灯させて報知するようにしている。
【０００５】
【発明が解決しようとする課題】
しかしながら、上述のようなＬＥＤの点灯表示によるトラブル報知方式は具体的な情報をユーザに伝達できないので、ユーザにとってはトラブルが発生したという事実は把握できてもエラー等の原因が分かりにくいという問題点がある。
【０００６】
また、電子機器の主電源を入れた直後に液晶表示をオフにするタイプの装置ではＬＥＤの点灯表示だけでは主電源投入直後のトラブルに気付きにくいという欠点もある。また、主電源投入直後のエラーは装置作動が不可能になるトラブルが多く、初めてのユーザにとっては原因の把握が困難なトラブルでもあるが（例えば、デジタルカメラの主電源投入直後のトラブルの例としては、メモリカードの未挿入、内部メモリのエラー、メモリーフル、電池（バッテリ）容量不足等、撮影が不可能になるトラブルが多い）、ユーザによっては取扱説明書を読むことなく装置を使用しようとすることもあり、主電源投入直後にトラブルが生じた場合にその装置に対するユーザの印象を損ねる（つまり、使い勝手の悪い装置といった誤った印象を与える原因となり得る）場合がある。
【０００７】
本発明は上記問題点および欠点を解決するためになされたものであり、電池の消耗節約のため表示装置をオフにするようにした電子装置において、ユーザにトラブルの原因を把握しやすいようにしたトラブル情報表示を行い得るトラブル情報報知方法および表示機能付電子機器の提供を目的とする。
【０００８】
【課題を解決するための手段】
上記課題を解決するために、本発明のトラブル情報表示方法は、表示装置を備えると共に、表示装置のオン／オフ制御が可能な表示機能付電子機器において、前記表示装置の電源がオフされているときに、前記電子機器に所定のトラブルが生じた場合は、このトラブルの発生後、ユーザによる主電源オン／オフスイッチの操作が行われる前に、該主電源オン／オフスイッチ以外のキー操作が行われたか否かを判定し、この判定により前記主電源オン／オフスイッチの操作が行われる前に、該主電源オン／オフスイッチ以外のキー操作が行われたと判定された場合に、前記表示装置の電源をオンにしてトラブル情報を表示することを特徴とする。
【０００９】
また、上記トラブル情報表示方法において更に、前記所定のトラブルが発生した後に、前記主電源オン／オフスイッチ以外のキー操作が行われる前に、該主電源オン／オフスイッチの操作が行われた場合は、前記表示装置の電源をオンにしたトラブル情報の表示を行わないことを特徴とする。
【００１０】
また、第３の発明は上記第１の発明のトラブル情報表示方法において、トラブルがバッテリー容量不足によるときには表示装置の電源をオンにしないことを特徴とする。
【００１１】
また、本発明の表示機能付電子機器は、表示装置を備える表示機能付電子機器において、前記表示装置の電源がオフにされているときに、前記電子機器に所定のトラブルが生じたことを検出するトラブル検出手段と、前記トラブル検出手段により前記所定のトラブルの発生を検出した後、ユーザによる主電源オン／オフスイッチの操作が行われる前に、該主電源オン／オフスイッチ以外のキー操作が行われたか否かを判定する判定手段と、前記判定手段により、前記主電源オン／オフスイッチの操作が行われる前に該主電源オン／オフスイッチ以外のキー操作が行われたと判定された場合、前記表示装置をオンにするオン／オフ制御手段と、このオン／オフ制御手段により電源がオンされた前記表示装置に前記トラブルに関わる情報を表示するトラブル情報報知手段と、を備えたことを特徴とする。
【００１２】
また、第５の発明は上記第４の発明の表示機能付電子機器において、トラブル情報報知手段によって表示装置にトラブル情報が表示されていることをユーザに報知する報知手段を備えたことを特徴とする。
【００１３】
また、上記表示機能付電子機器において更に、前記所定のトラブルが発生した後に、前記主電源オン／オフスイッチ以外のキー操作が行われる前に、該主電源オン／オフスイッチの操作が行われた場合は、前記オン／オフ制御手段による前記表示装置の電源のオン、および前記トラブル情報報知手段によるトラブル情報の表示を行わないように制御する制御手段を更に備えたことを特徴とする。
【００１４】
第７の発明は上記第４、第５または第６の発明の表示機能付電子機器において、表示装置はバックライトにより照明される液晶表示装置であり、オン／オフ制御手段は、その表示装置とバックライト、或いはバックライトのみをオン／オフ制御することを特徴とする。
【００１５】
第８の発明は上記第４，５，６または７の発明の表示機能付電子機器において、上記電子機器は光学ファインダを有する電子カメラ装置であることを特徴とする。
【００１６】
【発明の実施の形態】
［回路構成例］
図１は本発明を適用した表示機能付電子機器の一実施例としてのデジタルカメラの回路構成例を示すブロック図であり、図１でデジタルカメラ１００は、撮像部１０，制御部２０，操作部３０，画像表示部４０、ＬＥＤ表示部５０、メモリーカード６０および電源部９０を備えている。また、ビー音等を出力する音響出力装置７０を設けるようにしてもよい。
【００１７】
撮像部１０は、撮像レンズ、絞り機構、シャッター機構等と撮像レンズを介して取り込まれた被写体像を電気信号に変換するＣＣＤ（撮像素子）および電気信号を変換して画像を得る信号変換部、信号処理部および取り込まれた画像を記憶するＤＲＡＭ（図示せず）を備えている。
【００１８】
制御部２０はＣＰＵ、ＲＡＭ、プログラム格納用ＲＯＭおよびタイマ等を有したマイクロプロセッサ構成を有しており、ＣＰＵはデジタルカメラ１００の各回路および図示しない電源切換えスイッチ等にバスラインを介して接続し、プログラム格納用ＲＯＭに格納されている制御プログラムによりデジタルカメラ１００全体の制御を行なうと共に、操作部３０やメモリーカード装着部からの状態信号に対応してプログラム格納用ＲＯＭに格納されている各モードに対応の処理プログラムを取り出して、デジタルカメラ１００の各機能の実行制御、例えば、撮像や記録画像の再生機能の実行等を行なう他、本発明に基づくトラブル情報表示時の液晶画面およびバックライト（または、液晶画面のみ、バックライトのみ）の電源オン／オフ制御等を行う。なお、表示部４０の電源オン／オフは液晶デイスプレイ４１およびバックライト４５の両者の電源を同時にオン／オフ制御するようにしてもよいし、液晶デイスプレイ４１の電源は主電源投入と同時にオンにしておき、バックライト４５の電源のみをオン／オフ制御するようにしてもよい。
【００１９】
操作部３０は処理モード切替えスイッチ、機能選択用ボタン、メインスイッチ、およびシャッターボタンや主電源オン／オフスイッチ３１等のスイッチやボタン（キー）を構成部分としており、これらのスイッチ或いはボタンが操作されると状態信号が制御部２０に送出される。また、表示部４０の電源をユーザがオン／オフできるように表示部オン／オフスイッチ３２を設けるようにしてもよい。
【００２０】
表示部４０はドライバおよび液晶デイスプレイ（ＬＣＤ）４１，液晶デイスプレイ４１のバックライト４５等から構成された液晶表示装置からなり、制御部２０の表示制御により、撮像時の動画表示、再生時の再生画像表示、処理選択時の選択用メニューやガイド（或いはアイコン）の表示の他、エラー等のトラブルの情報表示を行なう。また、液晶デイスプレイ４１およびバックライト４５は主電源のオン／オフとは別に制御部２０によりオン／オフ制御される（制御部２０の制御により液晶デイスプレイ４１およびバックライト４５の電源（或いは、バックライト４５の電源）は主電源９０がオンになるとオフとされる）が、後述するように、エラー等のトラブルが生じた場合にはオンとされ、トラブル情報の表示を行うことができる。なお、主電源投入時或いは投入後に、ユーザが表示部オン／オフスイッチ３２を操作して表示部４０の液晶デイスプレイ４１およびバックライト４５の電源（或いは、バックライト４５の電源）のオン／オフの選択をできるようにしてもよい。
【００２１】
また、ＬＥＤ表示部５０はデジタルカメラ１００の状態表示を液晶デイスプレイ４１表示で行わない場合に動作し、制御部２０の制御によりデジタルカメラ１００の状態に応じてＬＥＤを点灯させる。なお、本実施例では図２に示すように正常時には緑ＬＥＤ点灯、エラー等のトラブル発生時には赤ＬＥＤ点灯としている。
【００２２】
メモリーカード６０はデジタルカメラ１００に着脱自在に構成された小型メモリ（フラッシュメモリ）であり、シャッターボタンが押されるとその時点で撮像部１０のＤＲＡＭに記憶されていた画像がＪＰＥＧ圧縮されてメモリーカード６０に保存記録される。また、メモリーカード６０の装着部（図示せず）にはセンサー（例えば、マイクロスイッチ）が設けられておりメモリーカード６０が装着される（または、取り出される）と状態信号が制御部２０に送られる。
【００２３】
電源部９０は電源としての電池（バッテリ）を装着する装着部を有している。また、電源部９０は電池の装着の有無、容量等を検出し制御部２０に検出信号を送る。
【００２４】
「トラブル情報表示動作」
図２は本発明のトラブル情報報知方法に基づくデジタルカメラ１００のトラブル情報報知動作の一実施例を示すフローチャートであり、メモリーカード未挿入の場合の例を示す。
【００２５】
ステップＳ１：（主電源オン／液晶表示装置電源オフ）
ユーザが主電源オン／オフスイッチ３１を操作して主電源をオンにするとデジタルカメラ１００の電源がオンとなりカメラが起動されるが、制御部２０は液晶表示装置（表示部４０）の電源をオフにする。なお、液晶表示装置の電源オン／オフは前述したように液晶デイスプレイ４１およびバックライト４５の両者の電源を同時にオフにするようにしてもよいし、液晶デイスプレイ４１の電源は主電源投入と同時にオンにしておき、バックライト４５の電源のみをオフにするようにしてもよい。
【００２６】
ステップＳ２：（メモリーカード挿入の有無の判定）
制御部２０はメモリーカード６０の装着部（図示せず）からの状態信号を調べ、メモリーカードが挿入（装着）されている場合にはＳ３に遷移し、挿入されていない場合にはＳ５に遷移する。
【００２７】
ステップＳ３：（メモリーカードの状態チェック）
メモリーカード６０が挿入されている場合には、制御部２０はメモリーカード６０のメモリ内容や残り容量をチェックし、正常であればＳ４に遷移する。また、正常でない場合にはそのトラブルに対するトラブル情報表示処理（メモリ容量不足なら、その旨のトラブル情報表示処理）に遷移する。
【００２８】
ステップＳ４：（ＬＥＤ点灯）
メモリーカード６０が正常な場合には制御部２０は緑ＬＥＤを点灯させ、ユーザからのキー入力（処理モードの選択等の操作入力）を待ち、キー入力があると選択された処理モード（例えば、撮影モードまたは再生モード）に遷移する。
【００２９】
ステップＳ５：（ＬＥＤ点灯）
上記ステップＳ２でメモリーカード６０が挿入されていなかった場合には制御部２０はトラブルありと判定して赤ＬＥＤを点灯させてからＳ６に遷移する。
【００３０】
ステップＳ６：（メモリーカード挿入操作の有無判定）
本実施例ではデジタルカメラ１００にメモリーカード６０を挿入するには一旦主電源をオフにしてからでないとメモリーカード６０を挿入できないように構成されているので、制御部２０は操作部３０からの状態信号を調べ、ユーザが主電源オン／オフスイッチ３１を操作した場合にはＳ９に遷移し、ユーザが主電源オン／オフスイッチ３１以外のキーを操作した場合には制御部２０はユーザがメモリーカード６０が未挿入であることに気付いていないものと判定してトラブル情報表示のためにＳ７に遷移する。
【００３１】
ステップＳ７：（液晶表示装置の電源オン）
制御部２０はトラブル情報表示が必要であると判断して液晶表示装置（画像表示部４０）の電源をオンすることによりトラブル情報用のメッセージ等の表示およびユーザによるトラブル情報の読み取りを可能な状態にする。なお、液晶表示装置の電源オン／オフはステップＳ２の場合と同様に液晶デイスプレイ４１およびバックライト４５の両者の電源を同時にオンにするようにしてもよいし、液晶デイスプレイ４１の電源は主電源投入と同時にオンにしておき、バックライト４５の電源のみをオンにするようにしてもよい。
【００３２】
ステップＳ８：（トラブル情報表示）
制御部２０は液晶表示装置の電源がオンになると、図３（ａ）に示すような”メモリーカード未挿入”を意味するトラブル情報メッセージを液晶表示装置に表示してユーザにメモリーカードの挿入を促し、Ｓ６に戻る。
【００３３】
ステップＳ９：（主電源オフ）
上記ステップＳ６でユーザが主電源オン／オフスイッチ３１を操作した場合は、制御部２０はメモリーカード６０の挿入操作を行うものと判定して主電源をオフにする。
なお、上記実施例ではメモリーカード未挿入の場合を例としたが、これに限定されず、様々なエラー等のトラブルの発生時に本発明を適用することができる（例えば、液晶表示装置の電源をオフにして撮影しているときに、メモリーカードの空き容量の不足が生じた場合には液晶表示装置の電源を強制的にオンにして図３（ｂ）に示すようなメッセージを表示するようにすればよい）。
【００３４】
また、上記フローチャートでは主電源がオンとされたときに制御部２０が液晶表示装置を自動的にオフにしたが、これに限られず、液晶表示装置のオン／オフスイッチを設け、主電源投入後、ユーザが液晶表示をオンにするか否かを選択できるようにしてもよい。
【００３５】
また、上記フローチャートでは液晶表示装置の電源を強制的にオンにするタイミングをトラブル発生直後のキー入力後（ステップＳ７）としたが、図４に示すようにトラブル発生後に液晶表示装置の電源を自動的にオンにしてトラブル情報メッセージの表示を行うようにしてもよい。
【００３６】
また、エラー等のトラブルの種類には様々なものがあるが、図５に示すように電池の残り容量不足の場合に限っては液晶表示装置の電源を強制的にオンにしないようにしてもよい。
【００３７】
また、上記実施例ではデジタルカメラでのトラブル情報報知表示を例としたが、本発明のトラブル情報報知方法はデジタルカメラの場合に限定されず、ビデオカメラやモバイルその他、液晶表示装置等の表示部を有する電子機器に適用することができる。
【００３８】
上記構成により、主電源投入時に液晶表示装置の電源がオフにされていてもメモリーカード未挿入等のエラーのようなトラブルが生じた場合には、液晶表示装置の電源をオンにしてトラブル情報を表示できるのでユーザはトラブル情報メッセージを見て適切に対処を行うことができ、デジタルカメラをはじめ液晶表示装置等の表示部を有する電子機器の操作性が向上する。
【００３９】
［トラブル情報表示の例］
図３はエラー等のトラブル発生時に強制的に電源オンされる液晶表示装置（表示部４０）の液晶デイスプレイ４１に表示されるトラブル情報表示の一実施例を示す図であり、（ａ）はメモリーカード未挿入の場合のトラブル情報表示の例であり、トラブルのランク表示８１（”エラー”）、トラブル内容８２（メモリーカード未挿入）およびユーザの行う処置ガイド８３（メモリーカードを挿入して下さい）からなっている。また、（ｂ）はメモリーカード容量不足の場合のトラブル情報表示の例であり、（ｃ）は電池容量不足の場合のトラブル情報表示の例であり、それぞれトラブルのランク８１，トラブル内容８２，ユーザの行う処置ガイド８３が表示されている。
【００４０】
前述したようにデジタルカメラ等の電子機器に生ずるエラー等のトラブルには様々なものがあるが、図３に示すようにトラブルのランク８１，トラブル内容８２，ユーザの行う処置ガイド８３に分けてエラー等のトラブルの種類に応じたトラブル情報メッセージを表示することにより、ＬＥＤ表示の場合のようにエラー等のトラブルが生じたことは分かっても具体的なトラブルの内容やトラブル回復（改善）対策はマニュアルを見なければ分からないといったような不都合がなく、迅速且つ適切に対応できる。なお、図３の例ではトラブル情報を文字メッセージで表示した例を示したが、これに限定されず、画像や、図形またはチャートでエラー等のトラブルの種類や回復（改善）措置を表示するようにしてもよい。
【００４１】
［変形例］
図４は図２のフローチャートの変形例を示す図（フローチャート）であり、エラー等のトラブル発生直後に液晶表示装置の電源をオンにしてトラブル情報の表示を行うようにした例である（図４の例では、図２のステップＳ６以降をステップＳ６’〜Ｓ９’で置き換える）。
【００４２】
図２のステップＳ２でトラブル（メモリーカードの未挿入）が検出されステップＳ５に遷移して赤ＬＥＤが点灯された後、
ステップＳ６’：（液晶表示装置の電源オン）
制御部２０はトラブル情報報知が必要であると判断して液晶表示装置（表示部４０）の電源をオンすることによりトラブル情報報知用のメッセージ等を表示可能にする。なお、液晶表示装置の電源オン／オフはステップＳ２の場合と同様に液晶デイスプレイ４１およびバックライト４５の両者の電源を同時にオンにするようにしてもよいし、液晶デイスプレイ４１の電源は主電源投入と同時にオンにしておき、バックライト４５の電源のみをオンにするようにしてもよい。
【００４３】
ステップＳ７’：（トラブル情報表示）
制御部２０は液晶表示装置の電源がオンになると、図３（ａ）に示すような”メモリーカード未挿入”を意味するトラブル情報を液晶表示装置に表示してユーザにメモリーカードの挿入を促す。
【００４４】
ステップＳ８’：（ビー音（警告音出力））
エラー発生直後、液晶表示装置の電源をオンにしてトラブル情報を表示しただけではユーザが気付かない場合があるので、制御部２０は音響出力装置７０に制御信号を送ってビー音等の警告音を出力させてユーザの注意を喚起する。
【００４５】
ステップＳ９’：（メモリーカード挿入操作の有無判定）
制御部２０は操作部３０からの状態信号を調べ、ユーザが主電源オン／オフスイッチ３１をオンにした場合にはユーザがメモリーカード６０の挿入操作を行うものと判定して主電源をオフにする。また、ユーザが主電源オン／オフスイッチ３１以外のキーを操作した場合にはユーザはメモリーカード６０が未挿入であることに気付いていないものと判定して警告音出力のためにＳ８’に戻る。
【００４６】
「電池容量残不足の場合」
図５は本発明のトラブル情報報知方法に基づくデジタルカメラ１００のトラブル情報報知動作の一実施例を示すフローチャートであり、電池容量のチェックを行う場合の場合の例を示す。
【００４７】
ステップＴ１：（主電源オン／液晶表示装置電源オフ）
図２の場合と同様に、ユーザが主電源オン／オフスイッチ３１を操作して主電源をオンにするとデジタルカメラ１００の電源がオンとなりカメラが起動されるが、制御部２０は液晶表示装置（表示部４０）の電源をオフにする。なお、液晶表示装置の電源オン／オフは前述したように液晶デイスプレイ４１およびバックライト４５の両者の電源を同時にオフにするようにしてもよいし、液晶デイスプレイ４１の電源は主電源投入と同時にオンにしておき、バックライト４５の電源のみをオフにするようにしてもよい。
【００４８】
ステップＴ２：（電池容量チェック）
制御部２０は電源部９０からの信号を調べ、電池容量が不足していない場合にはＴ３に遷移し、不足している場合にはＴ５に遷移する。
【００４９】
ステップＴ３：（ＬＥＤ点灯）
電源容量が不足していない場合には制御部２０は緑ＬＥＤを点灯させＴ４に遷移して次のチェック動作を行う。
【００５０】
ステップＴ４：（次のチェック動作）
電源容量チェックを行った後は、メモリーカードの挿入チェック（図２）やメモリ容量チェック等のチェックを順次行ない、それらのチェック動作が終わると所定（或いは選択された）処理の実行に移行する。
【００５１】
ステップＴ５：（ＬＥＤ点灯）
上記ステップＴ２で電池容量の不足と判定された場合には制御部２０はトラブルありと判定して赤ＬＥＤを点灯させてからＴ６に遷移する。
【００５２】
ステップＴ６：（主電源オフ）
制御部２０は液晶表示装置をオンすることなく主電源をオフにする。
【００５３】
この例によれば、電池容量不足の場合にはトラブル情報を表示しなくてもよいので、それ以上の電池の消耗を避けることができる。
【００５４】
以上本発明の一実施例について説明したが本発明は上記実施例に限定されるものではなく、種々の変形実施が可能であることはいうまでもない。
【００５５】
【発明の効果】
以上説明したように、本発明のトラブル情報報知方法および表示機能付電子機器によれば、表示装置の電源がオフされているときにエラー等のトラブルが生じた場合は、このトラブルの発生後、ユーザによる主電源オン／オフスイッチの操作が行われる前に、該主電源オン／オフスイッチ以外のキー操作とは別の所定操作が行われたか否かを判定し、この判定により前記主電源オン／オフスイッチの操作が行われる前に、該主電源オン／オフスイッチ以外のキー操作が行われたと判定された場合に、主電源投入時にはオフされていた表示装置の電源を自動的にオンにしてトラブル情報を表示するので、ユーザは従来のＬＥＤ表示の場合に比べて、トラブルの種類、内容および回復方法などを知ることができ、電子機器の操作効率が向上する。また、トラブル発生時に取り扱い説明書がなくても原因の把握や回復措置を知ることができるので、取り扱い説明書を見ないユーザや、初心者に起こりがちなトラブル発生時の電子機器への信頼性の低下を防止できる。
【００５６】
また、トラブルが生じた後に一旦ユーザによる回復措置を待ち、ユーザが機器の操作を開始する前に正しい対処操作を行った場合は表示装置の電源をオンしないので消費電力の低減になる。また、正しい操作を行わなかった場合にはトラブル情報が表示されるので好都合である。また、初心者にとっては適当にキーなどを押して操作すれば機器トラブル表示がなされるので安心できる。
【００５７】
また、第３の発明のトラブル情報報知方法によれば、電池容量不足の場合にはトラブル情報を表示しなくてもよいので、それ以上の電池の消耗を避けることができる。
【００５８】
また、第５の発明の表示機能付電子機器によれば、トラブルが生じると直ぐにトラブル情報が表示されるが、同時にトラブル情報が表示されたことが知らされるので、今まで電源オフであった表示装置にトラブル情報が表示されてもそれを見逃すことがない。
【００５９】
また、第７の発明の表示機能付電子機器によれば、消費電力の多い液晶表示装置のバックライトをオン／オフするので電池の消耗を防止できる。
【図面の簡単な説明】
【図１】本発明を適用した表示機能付電子機器の一実施例としてのデジタルカメラの回路構成例を示すブロック図である。
【図２】本発明のトラブル情報告知方法に基づくデジタルカメラのトラブル情報報知動作の一実施例を示すフローチャートである。
【図３】エラー等トラブル発生時に液晶デイスプレイに表示されるトラブル情報表示の一実施例を示す図である。
【図４】図２のフローチャートの変形例を示す図（フローチャート）である。
【図５】本発明のトラブル情報告知方法に基づくデジタルカメラのトラブル情報報知動作の一実施例を示すフローチャートである。
【符号の説明】
２０  制御部（オン／オフ制御手段、トラブル情報報知手段、トラブル回復判定手段）
４０  表示部（表示装置、液晶表示装置、トラブル情報報知手段））
４５  バックライト
７０  音響出力手段（報知手段）
１００  デジタルカメラ（表示機能付電子機器）
【図１】
0004345120.tif 000002
【図２】
0004345120.tif 000003
【図３】
0004345120.tif 000004
【図４】
0004345120.tif 000005
【図５】
0004345120.tif 000006